(57)【要約】【課題】映像素材ファイルと付加情報とから試写用映像ファイルに編集する編集処理の効率化を図ることが可能な映像加工システムを提供する。【解決手段】少なくとも映像素材ファイルを制作する制作端末と，映像素材ファイルから試写用映像ファイルに編集する編集装置とが通信網に接続される映像加工システムにおいて，制作端末は，少なくとも試写用映像ファイルを構成する映像素材ファイルと映像素材ファイルに付加する付加情報の内容およびそれらのフォーマットを指定する加工指示情報を生成する加工指示情報生成部とを備え，編集装置は，加工指示情報に基づいてメタ情報を生成するメタ情報生成部と，メタ情報に基づいて付加情報を生成する付加情報生成部と，映像素材ファイルと付加情報とから試写用映像ファイルを編集する映像編集部とを備える。【選択図】  図１
2004349759.tif 000002
【特許請求の範囲】
【請求項１】
通信網に接続され映像素材ファイルを制作する制作端末と，通信網に接続され前記映像素材ファイルを試写用映像ファイルに編集する編集装置と，通信網に接続され前記試写用映像ファイルを再生可能な視聴者端末と，から成る映像加工システムであって：
前記制作端末は，前記映像素材ファイルを制作する映像制作部と，少なくとも前記試写用映像ファイルを構成する前記映像素材ファイルと前記映像素材ファイルに付加する付加情報の内容およびそれらのフォーマットを指定する加工指示情報を生成する加工指示情報生成部とを備えており；
前記編集装置は，前記加工指示情報に基づいてメタ情報を生成するメタ情報生成部と，前記メタ情報に基づいて前記付加情報を生成する付加情報生成部と，前記映像素材ファイルと前記付加情報とから前記試写用映像ファイルを編集する映像編集部と，少なくとも前記映像素材ファイルと前記メタ情報をアーカイブ管理するアーカイブ管理装置と，を備えていることを特徴とする，映像加工システム。
【請求項２】
映像素材ファイルを試写用映像ファイルに編集する編集装置であって：
少なくとも前記試写用映像ファイルを構成する前記映像素材ファイルと前記映像素材ファイルに付加する付加情報の内容およびそれらのフォーマットを指定する加工指示情報に基づいてメタ情報を生成するメタ情報生成部と；
前記メタ情報に基づいて前記付加情報を生成する付加情報生成部と；
前記映像素材ファイルと前記付加情報とから前記試写用映像ファイルを編集する映像編集部と；
少なくとも前記映像素材ファイルと前記メタ情報をアーカイブ管理するアーカイブ管理装置と；
を備えていることを特徴とする，編集装置。
【請求項３】
前記メタ情報には，前記試写用映像ファイルを確認した確認情報が含まれることを特徴とする，請求項２に記載の編集装置。
【請求項４】
前記メタ情報には，クレジット映像を生成するためのプロファイル情報が含まれることを特徴とする，請求項２に記載の編集装置。
【請求項５】
前記メタ情報生成部は，前記アーカイブ管理装置で管理されるメタ情報履歴を参照してメタ情報を生成することを特徴とする，請求項２に記載の編集装置。
【請求項６】
コンピュータをして，映像素材ファイルを試写用映像ファイルに編集する編集装置として機能させるコンピュータプログラムであって：
少なくとも前記試写用映像ファイルを構成する前記映像素材ファイルと前記映像素材ファイルに付加する付加情報の内容およびそれらのフォーマットを指定する加工指示情報に基づいてメタ情報を生成し；
前記メタ情報に基づいて前記付加情報を生成し；
前記映像素材ファイルと前記付加情報とから前記試写用映像ファイルを編集し；
少なくとも前記映像素材ファイルと前記メタ情報をアーカイブ管理することを特徴とする，コンピュータプログラム。
【請求項７】
映像素材ファイルを制作する制作端末であって：
前記映像素材ファイルを制作する映像制作部と；
少なくとも前記試写用映像ファイルを構成する前記映像素材ファイルと前記映像素材ファイルに付加する付加情報の内容およびそれらのフォーマットを指定する加工指示情報を生成する加工指示情報生成部と；
を備えることを特徴とする，制作端末。
【請求項８】
コンピュータをして，映像素材ファイルを制作する制作端末として機能させるコンピュータプログラムであって：
少なくとも前記試写用映像ファイルを構成する前記映像素材ファイルと前記映像素材ファイルに付加する付加情報の内容およびそれらのフォーマットを指定する加工指示情報を生成することを特徴とする，コンピュータプログラム。
【請求項９】
少なくとも映像素材ファイルと前記映像素材ファイルに付加する付加情報の内容およびそれらのフォーマットを指定するための加工指示情報に基づいてメタ情報を生成するメタ情報生成部と，前記メタ情報に基づいて前記付加情報を生成する付加情報生成部と，前記映像素材ファイルと前記付加情報とから前記試写用映像ファイルを編集する映像編集部とを備えた編集装置と通信網を介して接続される視聴者端末であって：
前記編集装置から前記通信網を介して送信される前記試写用映像ファイルを確認した確認情報を前記メタ情報に付加する確認情報生成装置を備えていることを特徴とする，視聴者端末。
【請求項１０】
コンピュータをして，少なくとも映像素材ファイルと前記映像素材ファイルに付加する付加情報の内容およびそれらのフォーマットを指定するための加工指示情報に基づいてメタ情報を生成するメタ情報生成部と，前記メタ情報に基づいて前記付加情報を生成する付加情報生成部と，前記映像素材ファイルと前記付加情報とから前記試写用映像ファイルを編集する映像編集部とを備えた編集装置と通信網を介して接続される視聴者端末として機能させるコンピュータプログラムであって：
前記編集装置から前記通信網を介して送信される前記試写用映像ファイルを確認した確認情報を前記メタ情報に付加することを特徴とする，コンピュータプログラム。
【請求項１１】
映像素材ファイルを試写用映像ファイルに編集する編集装置の試写用映像ファイル編集方法であって：
前記編集装置は，少なくとも前記試写用映像ファイルを構成する前記映像素材ファイルと前記映像素材ファイルに付加する付加情報の内容およびそれらのフォーマットを指定する加工指示情報を受信し；
前記加工指示情報に基づいてメタ情報を生成し；
前記メタ情報に基づいて前記付加情報を生成し；
前記映像素材ファイルと前記付加情報とから前記試写用映像ファイルを編集することを特徴とする，試写用映像ファイル編集方法。
【請求項１２】
前記メタ情報には，前記試写用映像ファイルを確認した確認情報が含まれることを特徴とする，請求項１１に記載の試写用映像ファイル編集方法。
【請求項１３】
前記メタ情報には，クレジット映像に設定されるプロファイル情報が含まれることを特徴とする，請求項１１に記載の試写用映像ファイル編集方法。
【請求項１４】
前記付加情報は，前記メタ情報がアーカイブ管理されたメタ履歴情報に基づいて生成されることを特徴とする，請求項１１に記載の試写用映像ファイル編集方法。
【発明の詳細な説明】
【０００１】
【発明の属する技術分野】
本発明は映像加工システムにかかり，特に通信網を介して試写用映像ファイルを編集する映像加工システム，編集装置，コンピュータプログラム，制作端末，視聴者端末，および編集方法に関する。
【０００２】
【従来の技術】
従来から，ＣＭ（コマーシャル），映画，放送番組等の本編となる映像素材ファイルには，カラーバー，ブラックバースト，またはクレジット等の付加情報が付加されている。
【０００３】
映像素材ファイルの内容確認，または映像素材ファイルの画像調整などに用いるため，上記映像素材ファイルに付加情報を付加している。再生に必要な映像素材ファイルと付加情報は，編集処理により，ビデオテープなどの記録媒体に記録される（例えば，特許文献１参照。）。なお，本願発明に関連する技術文献情報には，次のものがある。
【０００４】
【特許文献１】
特開平５−５４６０５号公報
【発明が解決しようとする課題】
しかしながら，付加情報を生成し，映像素材ファイルに付加情報を付加した後，映像素材ファイルと付加情報とをビデオテープなどの記録媒体に記録する編集処理は，映像素材ファイルを制作する度に必要であった。
【０００５】
また，上記映像素材ファイルに付加する付加情報のフォーマットは，例えば，納品先のクライアント，放送局等ごとに，異なる場合が多く，付加情報を生成する処理が煩雑になっていた。
【０００６】
また，付加情報をそのまま，または一部修正し，映像素材ファイルに上記付加情報を付加する場合でも，その度に新しく付加情報を生成する必要があった。
【０００７】
本発明は，上記問題点に鑑みてなされたものであり，本発明の目的は，映像素材ファイルと付加情報に基づいて，試写用映像ファイルを編集する編集処理の効率化を図ることが可能な，新規かつ改良された映像加工システムを提供することである。
【０００８】
【課題を解決するための手段】
上記課題を解決するため，本発明の第１の観点によれば，通信網に接続され映像素材ファイルを制作する制作端末と，通信網に接続され映像素材ファイルを試写用映像ファイルに編集する編集装置と，通信網に接続され試写用映像ファイルを再生可能な視聴者端末と，から成る映像加工システムが提供される。上記映像加工システムにおける制作端末は，映像素材ファイルを制作する映像制作部と，少なくとも試写用映像ファイルを構成する映像素材ファイルと映像素材ファイルに付加する付加情報の内容およびそれらのフォーマットを指定する加工指示情報を生成する加工指示情報生成部とを備えており，編集装置は，加工指示情報に基づいてメタ情報を生成するメタ情報生成部と，メタ情報に基づいて付加情報を生成する付加情報生成部と，映像素材ファイルと付加情報とから試写用映像ファイルを編集する映像編集部と，少なくとも映像素材ファイルとメタ情報をアーカイブ管理するアーカイブ管理装置とを備えていることを特徴としている。
【０００９】
本発明によれば，通信網を介して，制作端末は，試写用映像ファイルのフォーマットなどの編集内容が含まれる加工指示情報を編集装置に送信する。編集装置は，送信された加工指示情報に基づき，メタ情報を生成し，メタ情報に含まれる編集内容に基づき，付加情報を生成する。さらに，編集装置は，付加情報と映像素材ファイルに基づいて，試写用映像ファイルを編集する。かかる構成により，制作端末による付加情報の生成および試写用映像ファイルの編集を省略することができ，制作端末に対する編集処理の負荷が軽減される。
【００１０】
視聴者端末は，試写用映像ファイルを確認したことを示す確認情報をメタ情報に付加する確認情報生成装置を備えるように構成することができる。かかる構成により，編集された試写用映像ファイルのコメント，修正ポイントなどが含まれる確認情報に基づき，制作端末は，試写用映像ファイルを修正等することができる。
【００１１】
メタ情報は，クレジット映像を生成するためのプロファイル情報を含むように構成することができる。かかる構成により，予め記憶されたプロファイル情報を活用することで，クレジット映像を生成するための時間が短縮化される。
【００１２】
メタ情報生成部は，アーカイブ管理装置が管理するメタ情報履歴を参照してメタ情報を生成するように構成してもよい。かかる構成により，制作端末は，試写用映像ファイルを編集するための加工指示情報を生成する必要がないため，制作端末の編集処理の負担が大幅に軽減される。
【００１３】
また，上記課題を解決するための本発明の別の観点によれば，映像素材ファイルを試写用映像ファイルに編集する編集装置が提供される。なお，上記編集装置は，上記映像加工システムで採用される編集装置とほぼ同様の構成を有するので，詳細な説明は省略する。
【００１４】
上記課題を解決するための本発明の別の観点によれば，コンピュータをして，映像素材ファイルを試写用映像ファイルに編集する編集装置として機能させるコンピュータプログラムが提供される。上記コンピュータプログラムは，少なくとも試写用映像ファイルを構成する映像素材ファイルと映像素材ファイルに付加する付加情報の内容およびそれらのフォーマットを指定する加工指示情報に基づいてメタ情報を生成し，メタ情報に基づいて付加情報を生成し，映像素材ファイルと付加情報とから試写用映像ファイルを編集し，少なくとも映像素材ファイルとメタ情報をアーカイブ管理することを特徴としている。
【００１５】
また，上記課題を解決するための本発明の別の観点によれば，映像素材ファイルを制作する制作端末が提供される。なお，上記制作端末は，上記映像加工システムで採用される制作端末とほぼ同様の構成を有するので，詳細な説明は省略する。
【００１６】
上記課題を解決するための本発明の別の観点によれば，コンピュータをして，映像素材ファイルを制作する制作端末として機能させるコンピュータプログラムが提供される。上記コンピュータプログラムは，少なくとも試写用映像ファイルを構成する映像素材ファイルと映像素材ファイルに付加する付加情報の内容およびそれらのフォーマットを指定する加工指示情報を生成することを特徴としている。
【００１７】
また，上記課題を解決するための本発明の別の観点によれば，通信網に接続された視聴者端末が提供される。なお，上記視聴者端末は，上記映像加工システムで採用される視聴者端末とほぼ同様の構成を有するので，詳細な説明は省略する。
【００１８】
上記課題を解決するための本発明の別の観点によれば，映像素材ファイルを試写用映像ファイルに編集する編集装置の試写用映像ファイル編集方法が提供される。編集装置は，少なくとも試写用映像ファイルを構成する映像素材ファイルと映像素材ファイルに付加する付加情報の内容およびそれらのフォーマットを指定する加工指示情報を受信し，加工指示情報に基づいてメタ情報を生成し，メタ情報に基づいて付加情報を生成し，映像素材ファイルと付加情報とから試写用映像ファイルを編集することを特徴としている。
【００１９】
付加情報は，メタ情報の履歴であるメタ履歴情報に基づいて生成されるように構成することができる。かかる構成により，一旦作成されたメタ情報が残っている場合には，加工指示情報の生成が不要となり，付加情報を迅速的に生成することができる。
【００２０】
付加情報は，カラーバー映像，ブラックバースト映像，クレジット映像，またはカウントリーダー映像のうち少なくとも一つを含むように構成することができる。かかる構成により，多種多様なフォーマットの付加情報を生成することができる。
【００２１】
試写用映像ファイルの編集内容が含まれるメタ情報は，アーカイブ管理されたメタ情報履歴に蓄積されるように構成することができる。かかる構成により，以前と同じ編集内容の場合，メタ情報を参照することで，効率的に試写用映像ファイルを編集することが可能となる。
【００２２】
メタ情報は，試写用映像ファイルを編集するタイミング情報を含むように構成することができる。かかる構成により，試写用映像ファイルの編集処理の進捗を管理することができる。
【００２３】
確認情報は，少なくとも音声，テキスト，動画，もしくは静止画のうち少なくとも一つからなるように構成することができる。かかる構成により，制作端末は，確認情報を参照することで，試写用映像ファイルの修正点等を簡単に把握することが可能となり，試写用映像ファイルの編集の効率化，試写用映像ファイルの仕上がり時間の短縮化が図れる。
【００２４】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２５】
（１．  映像加工システムについて）
まず，図１を参照しながら，本実施の形態にかかる映像加工システムについて説明する。図１は，本実施の形態にかかる映像加工システムの概略的な構成を示すブロック図である。なお，本明細書において，映像加工サービスは，有料または無料で，試写用映像ファイルに編集を行うサービス全般を総称するものとする。また，図１に示す本実施の形態にかかるセンタサーバ１０４は，例えば，本発明にかかる編集装置等に該当する。
【００２６】
図１に示すように，映像加工システム１００は，通信網１０２を介して，センタサーバ１０４と制作端末１０６と視聴者端末１０８とが相互に接続されることにより構成される。
【００２７】
制作端末１０６（１０６ａ，１０６ｂ，・・・，１０６ｎ）と視聴者端末１０８（１０８ａ，１０８ｂ，・・・，１０８ｎ）は，通信網１０２を介してセンタサーバ１０４にアクセスし，映像加工サービスを利用することができる。
【００２８】
なお，本実施の形態にかかる映像加工システムを利用する対象のユーザとしては，ＣＭ等を取扱う広告代理店（クライアント），制作会社，ポストプロダクション会社などの企業で働くユーザを例示することができる。
【００２９】
図１に示す複数の制作端末１０６と視聴者端末１０８から，プロジェクトに応じて，適当な制作端末１０６ａと視聴者端末１０８ｂなどが，選択される。例えば，ＣＭ制作のプロジェクトでは，ＣＭを制作する側の制作端末１０６ｂと，ＣＭを依頼したクライアント側の視聴者端末１０８ａとから構成されるグループが形成される。
【００３０】
制作端末１０６ｂと視聴者端末１０８ａは，通信網１０２を介してＡＳＰ（Ａｐｐｌｉｃａｔｉｏｎ  Ｓｅｒｖｉｃｅ  Ｐｒｏｖｉｄｅｒ）であるセンタサーバ１０４にアクセスして，例えば，ＣＭの試写用映像ファイルを制作する等の様々な映像加工サービスを利用することができる。
【００３１】
（１．１  試写用映像ファイル編集）
映像加工システム１００において，制作端末１０６は，通信網１０２を介してセンタサーバ１０４にアクセスし，センタサーバ１０４に保存された映像素材ファイルを用いて，試写用映像ファイルを編集することができる。なお，本実施の形態にかかるセンタサーバ１０４の詳細な構成については後述する。
【００３２】
なお，本明細書において上記試写用映像ファイルは，本番前に特定の関係者に試写するための映像ファイルをいい，本番用映像ファイルは，本番用の完パケ（完全パッケージ）としての映像ファイルをいう。
【００３３】
また，ファイルとは，デジタル化された動画ファイルまたは静止画ファイルなどから構成される映像ファイルをはじめ，テキストファイル，音声ファイルなどのコンピュータ内で扱われる情報の総称をいう。さらに，アクセスとは，例えば，システムの利用，サーバへの接続，ファイルの参照，ファイルの保存，ファイルの削除，またはファイルの変更など，通信網を介して情報を処理する情報処理を総称していう。
【００３４】
映像素材ファイルに所定の付加情報を付加する等の編集処理により，試写用映像ファイルが制作される。なお，上記付加情報としては，クレジット映像，ブラックバースト映像，カウントリーダー映像などを例示することができる。
【００３５】
さらに，視聴者端末１０８は，試写用映像ファイルを，通信網１０２を介して，センタサーバ１０４からダウンロードし，上記試写用映像ファイルを再生することにより，その内容を確認することができる。
【００３６】
次に，本実施の形態にかかる映像加工システムの典型的な処理の概略ついて説明すると，まず，ＣＭを制作するために，ＣＭを発注するクライアント側のユーザとＣＭを制作する側の制作者との間でプロジェクトが結成される。
【００３７】
図１に示すように，例えば，制作端末１０６ｂに属す制作側のユーザと視聴者端末１０８ｂに属すクライアント側のユーザとの間でプロジェクトが結成された場合，まず制作端末１０６ｂにより，ＣＭの本編となる映像素材ファイルが制作される。
【００３８】
映像素材ファイルの制作後，制作端末１０６ｂは，通信網１０２を介してセンタサーバ１０４にアクセスし，センタサーバ１０４内に上記プロジェクトの共有資源として割当てられた記憶領域（ディスクスペース）に，映像素材ファイルをアップロードする。
【００３９】
上記映像素材ファイルは，例えば，プロジェクトに属する制作端末１０６ｂと視聴者端末１０８ｂとがアクセス可能なセンタサーバ１０４の記憶領域に設けられたディレクトリなどに記憶される。
【００４０】
ここで，ディレクトリとは，フォルダなど，コンピュータの記憶装置内の記憶領域に１または２以上のファイルデータをまとめて格納する格納スペース（格納場所）を総称したものである。
【００４１】
制作端末１０６ｂは，センタサーバ１０４に記憶された映像素材ファイルを試写用映像ファイルに編集するため，付加情報の内容，付加情報のフォーマット，試写用映像ファイルの保存先，試写用映像ファイルのフォーマットなどが指定された加工指示情報をセンタサーバ１０４に送信する。
【００４２】
センタサーバ１０４は，制作端末１０６から送信された上記加工指示情報に基づき，メタ情報を生成するが，生成されると，センタサーバ１０４は，メタ情報において指示された付加情報のフォーマットに従い，付加情報を生成する。
【００４３】
次に，センタサーバ１０４は，映像素材ファイルと，生成された付加情報とに基づき，試写用映像ファイルを編集する。なお，編集された試写用映像ファイルは，メタ情報において指定された保存先に保存される。メタ情報については，後述する。
【００４４】
上記試写用映像ファイルは，センタサーバ１０４に保存されているので，通信網１０２を介して，ダウンロード可能である。したがって，試写用映像ファイルをビデオテープなどの記録媒体に記録しなくても，視聴者端末１０８によって，試写用映像ファイルの内容を確認することができる。
【００４５】
また，制作端末１０６は，通信網１０２を介してセンタサーバ１０４に，映像素材ファイルを試写用映像ファイルに編集させることが可能である。したがって，制作端末１０６は，試写用映像ファイルを編集する編集処理を省略することができる。
【００４６】
（２．映像加工システムの各構成要素の構成）
次に，本実施の形態にかかる映像加工システムを構成する各構成要素の構成について説明する。
【００４７】
（２．１  通信網１０２）
まず，図１に示すように，本実施の形態にかかる通信網１０２について説明すると，通信網１０２は，センタサーバ１０４と制作端末１０６と視聴者端末１０８などを双方向通信可能に接続するものであり，典型的にはインターネットなどの公衆回線網であるが，ＷＡＮ（Ｗｉｄｅ  Ａｒｅａ  Ｎｅｔｗｏｒｋ），ＬＡＮ（Ｌｏｃａｌ  Ａｒｅａ  Ｎｅｔｗｏｒｋ），ＩＰ−ＶＰＮ（ＩｎｔｅｒｎｅｔＰｒｏｔｏｃｏｌ―Ｖｉｒｔｕａｌ  Ｐｒｉｖａｔｅ  Ｎｅｔｗｏｒｋ）などの閉鎖回線網も含む。また接続媒体は，ＦＤＤＩ（Ｆｉｂｅｒ  Ｄｉｓｔｒｉｂｕｔｅｄ  Ｄａｔａ  Ｉｎｔｅｒｆａｃｅ）などによる光ファイバケーブル，Ｅｔｈｅｒｎｅｔ（登録商標）による同軸ケーブル又はツイストペアケーブル，もしくはＩＥＥＥ８０２．１１ｂなどによる無線など，有線無線を問わず，衛星通信網なども含む。
【００４８】
（２．２  制作端末１０６）
次に，図１および図２を参照しながら，本実施の形態にかかる制作端末１０６について説明する。図２は，本実施の形態にかかる制作端末の概略的な構成を示すブロック図である。
【００４９】
図１に示すように，制作端末１０６は，ＣＭの映像素材ファイルなどを制作するために使用する装置全体をいう。上記制作端末１０６は，映像素材ファイルを記録媒体に記録するなどに使用されるＶＴＲ（Ｖｉｄｅｏ  Ｔａｐｅ  Ｒｅｃｏｒｄｅｒ）や映像素材ファイルの粗編集等に使用されるノンリニア編集機などの装置も含む。
【００５０】
さらに詳細に説明すると，図２に示すように，制作端末１０６は，送受信部２０１と，メモリ部２０２と，ＣＰＵ２０３と，表示部２０４と，入力部２０５と，出力部２０６と，映像制作部２０７と，記憶装置２０８と，加工指示情報生成部２０９とを備える。
【００５１】
映像制作部２０７は，ロケなどの撮影により，ビデオテープなどの記録媒体や記憶装置２０８などに記憶された素材ファイル（図示せず。）を編集し，映像素材ファイル３２７を制作する。なお，制作された映像素材ファイル３２７は，記憶装置２０８に記憶される。
【００５２】
記憶装置２０８は，映像素材ファイル３２７，上記素材ファイルなど各種データを読書き可能なデバイスであり，ハードディスク（ＨＤ），ＣＤ−ＲＯＭ（ＣＤ−Ｒｅａｄ  Ｏｎｌｙ  Ｍｅｍｏｒｙ），ＤＶＤ−Ｒ（ＤＶＤ−Ｒｅｃｏｒｄａｂｌｅ），またはＤＶＤ−ＲＯＭなどが例示される。なお，本実施の形態にかかる記憶装置２０８は，制作端末１０６に備えられる場合を例に挙げて説明したが，かかる例に限定されず，記憶装置２０８は，制作端末１０６と外部接続する構成を採用しても実施可能である。
【００５３】
表示部２０４は，映像素材ファイル３２７，試写用映像ファイル３３７など，表示部２０４に表示可能な映像データを表示する。表示部２０４は，例えば，ＣＲＴ（Ｃａｔｈｏｄｅ  Ｒａｙ  Ｔｕｂｅ）ディスプレイ又は液晶ディスプレイなどが例示され，動画像のほか，静止画像，またはテキストなどを表示し，さらに音声などを出力することも可能である。
【００５４】
加工指示情報生成部２０９は，映像素材ファイル３２７に付加する付加情報の内容，フォーマット等を指定し，試写用映像ファイルの保存先等を指定するための加工指示情報を生成する。上記加工指示情報は，制作端末１０６により生成されるメタ情報を生成するための指示データであり，通信網１０２を介して，センタサーバ１０４に送信される。
【００５５】
制作端末１０６からセンタサーバ１０４に対するアクセスは，端末装置１０６に予めインストールされたＷＷＷ（Ｗｏｒｌｄ  Ｗｉｄｅ  Ｗｅｂ）ブラウザなどの閲覧ソフトにより，行われる。またセンタサーバ１０４から制作端末１０６に送信されるデータは，ＷＷＷブラウザにより，表示部２０４に表示される。
【００５６】
（２．３  センタサーバ１０４）
センタサーバ１０４には，図１に示すように，ストレージサーバ１１４と，編集サーバ１２４と，ＤＢサーバ１３４とが備えられ，制作端末１０６および視聴者端末１０８は，上記ストレージサーバ１１４，編集サーバ１２４，またはＤＢサーバ１３４に通信網を介して接続される。
【００５７】
次に，図３を参照しながら，センタサーバ１０４を構成する本実施の形態にかかるストレージサーバ１１４について説明する。図３は，本実施の形態にかかるストレージサーバ１１４の概略的な構成を示すブロック図である。
【００５８】
図３に示すように，ストレージサーバ１１４は，送受信部３０１と，メモリ部３０２と，ＣＰＵ３０３と，表示部３０４と，入力部３０５と，記憶装置３０７と，アーカイブ管理装置３０８とを備える。
【００５９】
記憶装置３０７には，上記プロジェクトごとに記憶スペース３１７（３１７ａ，３１７ｂ，…，３１７ｎ）が割当てられる。また，上記記憶スペース３１７は，複数の映像素材ファイル３２７，試写用映像ファイル３３７，またはメタ情報３４７などを記憶することができる。例えば，記憶スペース３１７ａには，１又は２以上の映像素材ファイル３２７（３２７ａ−１，…３２７ａ−ｎ）と，試写用映像ファイル３３７ａと，メタ情報３４７ａとが記憶されている。
【００６０】
アーカイブ管理装置３０８には，上記プロジェクトごとにアーカイブ記憶スペース３１８（３１８ａ，３１８ｂ，…，３１８ｎ）が割当てられる。アーカイブ記憶スペース３１８は，映像素材ファイル３２７，試写用映像ファイル３３７，またはメタ情報履歴３４８などをアーカイブ管理するための記憶領域である。なお，アーカイブ管理は，複数の映像素材ファイル３２７，試写用映像ファイル３３７，またはメタ情報履歴３４８をひとつにまとめ，アーカイブ記憶スペース３１８にファイルを保管することを示す。
【００６１】
アーカイブ記憶スペース３１８には，映像素材ファイル３２７，試写用映像ファイル３３７，またはメタ情報履歴３４８等が記憶される。アーカイブ記憶スペース３１８に映像素材ファイル３２７，試写用映像ファイル３３７，またはメタ情報履歴３４８等が記憶されることにより，映像資産として，例えば，以前に制作された映像素材ファイル３２７または試写用映像ファイル３３７等の有効活用が図れる。
【００６２】
また，メタ情報履歴３４８がアーカイブ記憶スペース３１８に記憶されると，以前に生成されたメタ情報３４７を参照することができ，映像素材ファイル３２７から試写用映像ファイル３３７に編集する編集処理を迅速に行うことができる。
【００６３】
メタ情報履歴３４８は，加工指示情報に基づき生成されたメタ情報３４７が蓄積された履歴情報である。メタ情報履歴３４８には，１又は２以上のメタ情報３４７が含まれる。
【００６４】
メタ情報３４７は，制作端末１０６から送信される加工指示情報に基づいて生成される。さらに，メタ情報３４７には，試写用映像ファイル３３７を確認したことを示す確認情報が，付加される。
【００６５】
上記確認情報は，視聴者端末１０８により生成され，通信網１０２を介して送信される。なお，制作端末１０６から加工指示情報が送信される度に，メタ情報３４７は，生成される。
【００６６】
ここで，図４を参照しながら，本実施の形態にかかるメタ情報について説明する。図４は，本実施の形態にかかるメタ情報のデータ構造の概略を示す説明図である。
【００６７】
図４に示すように，メタ情報３４７は，少なくともスクリプト情報と，クレジット情報と，保存情報と，確認情報とから構成される。なお，スクリプト情報については，後述する。
【００６８】
クレジット情報は，付加情報のうち，クレジット映像を生成するために用いられる情報である。また，確認情報は，編集された試写用映像ファイル３３７に対する確認，またはコメント等を示すための情報である。クレジット情報および確認情報については，後述する。
【００６９】
確認情報は，視聴者端末１０８により生成され，メタ情報３４７に付加される。なお，確認情報は，動画データ，静止画データ，テキストデータ，または音声データのうち少なくとも一つから構成される。
【００７０】
なお，本実施の形態にかかる記憶スペース３１７には，１本の試写用映像ファイル３３７および１個のメタ情報３４７が記憶される場合を例に挙げて説明したが，かかる例に限定されず，記憶スペース３１８には，複数の試写用映像ファイル３３７および複数のメタ情報３４７が記憶される場合であっても実施可能である。
【００７１】
また，本実施の形態にかかる記憶スペース３１８には，１本の試写用映像ファイル３３７および１個のメタ情報履歴３４８が記憶される場合を例に挙げて説明したが，かかる例に限定されず，記憶スペース３１８には，複数の試写用映像ファイル３３７および複数のメタ情報履歴３４８が記憶される場合であっても実施可能である。
【００７２】
制作端末１０６または視聴者端末１０８等からのアクセスにより，記憶スペース３１７に記憶された映像素材ファイル３２７またはメタ情報３４７などのファイルは，図３に示す矢印のように，アーカイブ管理装置３０８のアーカイブ記憶スペース３１８にコピーされ，アーカイブ管理することができる。
【００７３】
次に，図５を参照しながら，センタサーバ１０４に備わる本実施の形態にかかる編集サーバ１２４について説明する。図５は，本実施の形態にかかる編集サーバ１２４の概略的な構成を示すブロック図である。
【００７４】
図５に示すように，編集サーバ１２４は，送受信部４０１と，メモリ部４０２と，ＣＰＵ４０３と，メタ情報生成部４０４と，映像編集部４０５と，画面生成部４０６と，マウスまたはキーボードなどの入力部４０７と，表示部４０８と，編集記憶装置４０９と，付加情報生成部４１０と，課金処理部４１１などを備えている。
【００７５】
制作端末１０６から送受信部４０１を介して映像素材ファイル３２７に編集するための加工指示情報を受信すると，メタ情報生成部４０４は，上記加工指示情報に基づき，メタ情報３４７を生成する。
【００７６】
編集記憶装置４０９は，図５に示すように，付加情報を生成するための素材データを少なくとも記憶する。素材データを加工することにより，付加情報が生成される。上記素材データは，ブラックバースト素材４１９，カウントリーダー素材４２９，クレジット素材４３９，またはカラーバー素材４４９であるが，かかる例に限定されない。
【００７７】
また本実施の形態にかかる素材データは，編集記憶装置４０９に予め記憶されているが，かかる例に限定されず，素材データは，制作端末１０６または視聴者端末１０８により独自に制作され，制作された素材データが編集記憶装置４０９にアップロードされる場合であっても実施可能である。
【００７８】
ブラックバースト素材４１９とカラーバー素材４４９とは，映像を表示するディスプレイの画像調整のための素材データである。また，本実施の形態にかかるブラックバースト素材４１９は，０％黒画像または７．５％黒画像の２種類の画像である。また，本実施の形態にかかるカラーバー素材４４９は，ＳＭＰＴＥにより規格されている。
【００７９】
クレジット素材４３９は，編集対象の映像素材ファイル３２７を一意的に識別するＩＤの機能を果たす素材データである。なお，上記ＩＤに関する情報は，ＤＢサーバ１３４に格納された映像素材ファイル３２７を制作するプロジェクトのプロファイル情報またはメタ情報３４７に基づき，生成される。
【００８０】
カウントリーダー素材４２９は，本編である映像素材ファイル３２７の再生開始ポイントを示すカウントリーダー映像に加工される。なお，本実施の形態にかかるカウントリーダー素材４２９は，図５に示すように，カウント開始からカウント終了までの各数字のカウントリーダー素材４２９が予め保存される。例えば，カウント開始が“３”で，カウント終了“０”である場合，“３”，“２”，“１”，“０”を示すカウントリーダー素材４２９が，編集記憶装置４０９にそれぞれ保存されている。
【００８１】
メタ情報３４７は，タグにより定義されるＸＭＬ（ｅＸｔｅｎｓｉｂｌｅ  Ｍａｒｋｕｐ  Ｌａｎｇｕａｇｅ）形式のデータである。また，メタ情報３４７は，少なくとも映像素材ファイル３２７が保存されている場所，試写用映像ファイル３３７の保存先，または付加情報のフォーマット等の各種設定から構成される。
【００８２】
なお，本実施の形態にかかるメタ情報３４７は，ＸＭＬ形式に限定されず，他の形式であっても実施可能である。
【００８３】
付加情報生成部４１０は，生成されたメタ情報３４７と，編集記憶装置４０９に記憶された上記各素材データとから，付加情報を生成する。
【００８４】
映像編集部４０５は，付加情報生成部４１０により生成された付加情報と，当該映像素材ファイル３２７とから試写用映像ファイル３３７に編集する。
【００８５】
なお，本実施の形態にかかるメタ情報３４７は，映像編集部４０５による編集タイミングを指定するタイミング情報を含むことが可能であり，タイミング情報に従い，映像編集部４０５は，試写用映像ファイル３３７を編集することができる。
【００８６】
制作端末１０６の表示部２０４に表示され，上記試写用映像ファイル３３７の編集内容などを設定するためのＷＷＷ画面は，画面生成部４０６により生成される。
【００８７】
また，上記ＷＷＷ画面を介して，制作端末１０６のマウスまたはキーボードなどの入力部２０５により，編集内容が設定される。なお，上記試写用映像ファイル３３７の編集については後程詳述する。
【００８８】
課金処理部４１１は，映像加工サービスを利用した制作端末１０６または視聴者端末１０８に対して，課金処理する。また，所定期間毎に課金処理した合計金額を制作端末１０６または視聴者端末１０８に請求する。
【００８９】
なお，本実施の形態にかかる所定期間は，例えば，日次，月次，年次などを例示することができる。また課金は，映像加工サービスを利用した時間に応じて課金される従量課金，または定額課金などを例示することができる。
【００９０】
編集サーバ１２４は，Ｗｅｂサーバ機能を備えている。制作端末１０６または視聴者端末１０８からのアクセスに応じて，編集サーバ１２４は，ＷＷＷ画面を提供する。上記Ｗｅｂ画面は，閲覧ブラウザ等により表示部２０４または表示部６０４に表示される。
【００９１】
なお，本実施の形態にかかる試写用映像ファイル３３７は，制作端末１０６からの指示により編集される場合を例に挙げて説明するが，かかる例に限定されず，視聴者端末１０８からの指示により編集される場合であっても実施可能である。
【００９２】
次に，図６を参照しながら，センタサーバ１０４に備わる本実施の形態にかかるＤＢサーバ１３４について説明する。図６は，本実施の形態にかかるＤＢサーバ１３４の概略的な構成を示すブロック図である。
【００９３】
図６に示すように，ＤＢサーバ１３４は，送受信部５０１と，メモリ部５０２と，ＣＰＵ５０３と，表示部５０４と，入力部５０５と，情報取得部５０６と，プロジェクト記憶装置５０７とを備える。
【００９４】
編集サーバ１２４から，送受信部５０１を介して，ＤＢサーバ１３４に対して，認証情報またはプロファイル情報が要求されると，情報取得部５０６は，プロジェクト記憶装置５０７に記憶する認証情報またはプロファイル情報を検索する。検索された当該認証情報またはプロファイル情報は，送受信部５０１により，編集サーバ１２４に送信される。
【００９５】
なお，本実施の形態にかかるプロファイル情報は，少なくとも映像ファイルの題名，制作会社名，映像ファイルの保存先，または映像ファイルの映像時間から構成される。
【００９６】
また，本実施の形態にかかる認証情報は，編集サーバ１２４にログインするための情報である。また，認証情報は，例えば，ＩＤと，パスワードとから構成される。
【００９７】
プロジェクト記憶装置５０７は，上記認証情報，プロファイル情報を含むプロジェクトＤＢを記憶している。プロジェクトＤＢに格納されたプロファイル情報は，通信網１０２を介して，制作端末１０６または視聴者端末１０８に送信される。
【００９８】
ＤＢサーバ１３４は，編集サーバ１２４からの要求に応じて，制作端末１０６または視聴者端末１０８に属する各ユーザの認証情報，または映像素材ファイル３２７を制作したプロジェクトに関するプロファイル情報等を送信する。
【００９９】
（２．４  視聴者端末１０８）
次に，図１および図７を参照しながら，本実施の形態にかかる視聴者端末１０８について説明する。図７は，本実施の形態にかかる視聴者端末の概略的な構成を示すブロック図である。
【０１００】
図１に示すように，視聴者端末１０８は，編集された試写用映像ファイル３３７を通信網１０２を介してダウンロードし，上記試写用映像ファイル３３７を再生する装置をいう。
【０１０１】
視聴者端末１０８は，図１に示すように，リモコンまたはキーボードなどの入力装置を備えるＴＶ装置，ノートパソコン，ＰＤＡ，または携帯電話などが例示される。
【０１０２】
また，図７に示すように，視聴者端末１０８は，送受信部６０１と，メモリ部６０２と，ＣＰＵ６０３と，表示部６０４と，入力部６０５と，記憶装置６０６と，確認情報を生成する確認情報生成装置６０７とを備える。
【０１０３】
記憶装置６０６は，試写用映像ファイル３３７，またはメタ情報３４７を少なくとも記憶する記憶デバイスである。記憶装置６０６は，ハードディスクドライブなどが例示される。
【０１０４】
表示部６０４は，動画像である試写用映像ファイル３３７などのほか，静止画像，またはテキストなどを表示し，さらに音声などを出力することも可能である。
【０１０５】
視聴者端末１０８は，プロジェクトに属する制作端末１０６により編集された試写用映像ファイル３３７を，ストレージサーバ１１４からダウンロードし，上記試写用映像ファイル３３７を表示部２０４に再生する。
【０１０６】
したがって，視聴者端末１０８に属するクライアント側のユーザは，ビデオテープなどの記録媒体に試写用映像ファイル３３７を記録せずに，試写用映像ファイル３３７の内容を確認することが可能である。
【０１０７】
確認情報生成装置６０７は，視聴後の上記試写用映像ファイル３３７を確認した旨の確認情報を生成することが可能である。上記確認情報は，試写用映像ファイル３３７と一対一に対応するメタ情報３４７に付加される。
【０１０８】
なお，本実施の形態にかかる確認情報は，動画，静止画，テキスト，もしくは音声のうちいずれか一つまたは任意の組合せからなるデータであるが，詳細は後述する。
【０１０９】
また，本実施の形態にかかる記憶装置６０６または確認情報生成装置６０７は，視聴者端末１０８に備えられる場合を例に挙げて説明したが，かかる例に限定されず，記憶装置６０６または確認情報生成装置６０７は，視聴者端末１０８と外部接続する構成を採用する場合であっても実施可能である。
【０１１０】
また，本実施の形態にかかる試写用映像ファイル３３７は，視聴者端末１０８により再生される場合を例に挙げて説明するが，かかる例に限定されず，試写用映像ファイル３３７は，例えば，制作端末１０６により視聴する場合であっても実施可能である。
【０１１１】
視聴者端末１０８から，センタサーバ１０４に対するアクセスは，制作端末１０６と同様に，ＷＷＷブラウザなどの閲覧ソフトを利用して行われる。またセンタサーバ１０４から送信されるデータは，ＷＷＷブラウザなどにより，視聴者端末１０８の表示部６０４に表示される。
【０１１２】
（３．映像加工システムの動作）
次に，図８を参照しながら，上記のように構成された映像加工システムの動作の実施形態について説明する。図８は，本実施の形態にかかる映像加工システムの動作の概略を示すフローチャートである。
【０１１３】
図８に示すように，制作端末１０６は，映像素材ファイルから試写用映像ファイルに編集するため通信網１０２を介して，編集サーバ１２４にアクセスし，ログイン処理を実行する（Ｓ７０１）。
【０１１４】
ログイン処理は，例えば，制作端末１０６に属するユーザが試写用映像ファイル３３７を編集する映像加工サービスを利用可能なユーザであるかを認証する処理である。
【０１１５】
ログイン処理（Ｓ７０１）で正当なユーザであると認証されると，ユーザに属する制作端末１０６は，通信網１０２を介して編集サーバ１２４にアクセスし，映像加工サービスを利用することができる。
【０１１６】
ログイン処理（Ｓ７０１）するためには，ユーザのＩＤおよびパスワードが必要である。ユーザのＩＤおよびパスワードは，予めログイン処理（Ｓ７０１）する前に申請する必要がある。
【０１１７】
ＩＤおよびパスワードは，表示部２０４に表示されるログイン画面（図示せず。）の所定の入力部に入力される。なお，パスワードに関しては，各ユーザにより自由に変更ができる。
【０１１８】
ログイン処理（Ｓ７０１）が終了すると，次に，制作端末１０６は，映像素材ファイル３２７に付加する付加情報の内容，または試写用映像ファイル３３７のフォーマット等を設定するためのスクリプト情報を生成する（Ｓ７０２）。なお，制作された映像素材ファイル３２７は，予めストレージサーバ１１４の記憶スペース３１７に保存されている。
【０１１９】
図９に示すように，表示部２０４には，スクリプト情報を生成するためのスクリプト画面８００が表示される。なお，図９は，本実施の形態にかかる映像加工システムにおける画面表示例を示す説明図である。
【０１２０】
スクリプト画面８００は，少なくともメニュー部８０１（８０１ａ，８０１ｂ，８０１ｃ，８０１ｄ，８０１ｅ，…）と，素材データ指定部８０２（８０２ａ，８０２ｂ，８０２ｃ，８０２ｄ，８０２ｅ，…）と，付加情報の映像時間を指定する時間入力部８０３（８０３ａ，８０３ｂ，８０３ｃ，８０３ｄ，８０３ｅ，…）とから構成される。なお，図９に示す番号“１”，“２”，“３”，“４”，および“５”は，試写用映像ファイルにおける映像ファイルの並ぶ順番を示している。
【０１２１】
上記付加情報は，カラーバー映像，クレジット映像，カウントリーダー映像，またはブラックバースト映像のうちから選択される。なお，上記カラーバー映像，クレジット映像，カウントリーダー映像，またはブラックバースト映像については，後述する。
【０１２２】
図９に示す上記番号“１”は，試写用映像ファイルのうち先頭に配置されるものを示す。図９に示すように，番号“１”のメニュー部８０１には，カラーバー映像が選択されている。
【０１２３】
また，上記番号“２”は，上記番号“１”の次に配置されるものを示す。図９に示すように，番号“２”のメニュー部８０１には，ブラックバースト映像が選択されている。
【０１２４】
以降，図９に示すように，番号“３”のメニュー部８０１には，クレジット映像が選択され，番号“４”のメニュー部８０１には，カウントリーダー映像が選択され，番号“５”のメニュー部８０１には，映像素材ファイル３２７が選択されている。
【０１２５】
メニュー部８０１には，選択された，映像素材ファイル３２７，または付加情報が表示される。上記メニュー部８０１に表示された映像素材ファイル３２７または付加情報の映像ファイルの並ぶ順番などに基づいて，試写用映像ファイル３３７のフォーマットが設定される。
【０１２６】
また，図９に示すスクリプト画面８００には，１番目にカラーバー映像，２番目にブラックバースト映像，３番目にクレジット映像，４番目にカウントリーダー映像，５番目に映像ファイルが表示される場合を例に挙げて説明したが，かかる場合に限定されず，スクリプト画面８００には，例えば，入力部２０５により“追加”ボタンもしくは“削除”ボタンを選択することにより，試写用映像ファイル３３７における適当な順番の映像ファイルが表示される場合であっても実施可能である。
【０１２７】
素材データ指定部８０２にメニュー部８０１で選択された付加情報のテンプレートとなる素材データの保存場所が，入力部２０５により入力され，素材データの保存場所が指定される。
【０１２８】
時間入力部８０３には，映像時間が秒単位に入力される。入力値が小数点以下である場合は，フレーム単位に換算される。例えば，１秒間につき１６フレームから構成される場合，“０．５秒”の場合は，“８フレーム”となる。
【０１２９】
“実行”ボタンがマウスなどの入力部２０５により選択されると，制作端末１０６の加工指示情報生成部２０９は，メニュー部８０１，素材データ指定部８０２，および時間入力部８０３に設定された入力情報に基づき，スクリプト情報を生成する（Ｓ７０２）。
【０１３０】
生成されたスクリプト情報は，制作端末１０６の記憶装置２０８に，一時記憶（キャッシュ）される。なお，加工指示情報生成部２０９は，一時記憶させずに，上記スクリプト情報が含まれる加工指示情報を生成し，編集サーバ１２４に通信網１０２を介して送信する場合であっても実施可能である。
【０１３１】
スクリプト情報は，試写用映像ファイル３３７の全体のフォーマット等を指定するための情報であり，スクリプト情報により，例えば，試写用映像ファイルのフォーマット，付加情報の映像時間などを指定することができる。
【０１３２】
次に，上記“実行”ボタンが選択されると，図１０に示すクレジット映像を生成するためのクレジット映像設定画面９００が表示される。図１０に示すように，クレジット情報設定画面９００には，図９に示すメニュー部８０１でクレジット映像が選択された項目数分の“クレジットの作成”ボタンと“クレジットのプレビュー”ボタンが，それぞれ表示される。
【０１３３】
図９に示すメニュー部８０１においてクレジット映像が１つ選択されたため，図１０に示すクレジット映像設定画面９００には，“クレジットの作成”ボタンと“クレジットのプレビュー”ボタンとが１つずつ表示される。
【０１３４】
“クレジットのプレビュー”ボタンが選択されると，クレジット映像が生成される前に，事前にクレジット映像を確認することができる。また，“クレジットの作成”ボタンが選択されると，図１１に示すように，クレジット映像を生成するためのクレジット映像詳細設定画面９１０が，制作端末１０６の表示部２０４に表示される。図１１は，本実施の形態にかかる映像加工システムにおける制作端末に表示される画面の構成を示す説明図である。
【０１３５】
クレジット映像を生成するために，図１０に示すクレジットの作成”ボタンが選択されると編集サーバ１２４は，映像素材ファイル３２７を制作した制作端末１０６の属するプロジェクトに関連したプロファイル情報を，ＤＢサーバ１３４に対し要求する。
【０１３６】
ＤＢサーバ１３４からの当該プロファイル情報を編集サーバ１２４が受信すると，編集サーバ１２４は，制作端末１０６に，上記プロファイル情報とクレジット映像詳細設定画面９１０を表示するためのＷＷＷ画面データとを送信する。
【０１３７】
図１１に示すように，クレジット映像詳細設定画面９１０には，クレジット映像に設定される映像素材ファイル３２７を識別するためのＩＤ情報が表示される。なお，デフォルトのクレジット映像詳細設定画面９１０には，ＤＢサーバ１３４に格納されていたプロファイル情報が表示される。
【０１３８】
クレジット映像詳細設定画面９１０は，クライアント名を表わすクライアント入力部９１１と，製品名を表わす製品名入力部９１２と，題名を表わす題名入力部９１３と，映像時間を表わす時間入力部９１４と，１０桁からなるＣＭコードを表わすコード入力部９１５と，エンコード方式を表わすエンコード入力部９１６と，広告代理店名を表わす代理店入力部９１７と，制作会社名を表わす制作会社入力部９１８と，ＣＭデータベースコードを表わすデータベースコード入力部９１９と音声形式を指定する音声入力部９２０などとから構成される。
【０１３９】
なお，本実施の形態にかかるクレジット映像詳細設定画面９１０は，クライアント入力部９１１〜音声入力部９２０から構成される場合を例に挙げて説明したが，かかる例に限定されず，クレジット映像詳細設定画面９１０は，監督名入力部などの適当な入力部をさらに備える場合，または不要な入力部を除外する場合等であっても実施可能である。
【０１４０】
図１１に示す，上記クライアント入力部９１１から音声入力部９２０までの各入力部に表示される情報が，入力部２０５により，適当に編集されると，入力部２０５により“実行”ボタンが選択される。
【０１４１】
上記“実行”ボタンが選択されると，加工指示情報生成部２０９は，クレジット映像を生成するためのクレジット情報を生成する（Ｓ７０３）。なお，クレジット情報には，プロファイル情報またはクレジット映像詳細設定画面９１０に設定された設定情報が含まれている。
【０１４２】
生成されたクレジット情報は，制作端末１０６の記憶装置２０８に，一時記憶される。なお，加工指示情報生成部２０９は，クレジット情報を一時記憶させずに，上記クレジット情報が含まれる加工指示情報を生成し，編集サーバ１２４に通信網１０２を介して送信する場合であっても実施可能である。
【０１４３】
図１１に示す“実行”ボタンが制作端末１０６の入力部２０５により選択されると，次に，図１２に示すように，編集された試写用映像ファイル３３７を保存する保存先等を指定するための出力設定画面１１００が制作端末１０６の表示部２０４に表示される。図１２は，本実施の形態にかかる映像加工システムの制作端末において表示される画面の概略的な構成を示す説明図である。
【０１４４】
図１２に示すように，出力設定画面１１００は，試写用映像ファイル３３７を，制作端末１０６が属すプロジェクトの記憶スペース３１７に保存するための設定画面である。
【０１４５】
出力設定画面１１００には，保存する試写用映像ファイル３３７の試写用映像ファイル名を設定するファイル名入力部１１０１と，記憶スペース３１７内に試写用映像ファイル３３７を保存する保存先のディレクトリを指定するディレクトリ名入力部１１０２と，試写用映像ファイル３３７のデータフォーマットを指定するフォーマット入力部１１０４と，試写用映像ファイル３３７のコーデックを指定するコーデック入力部１１０５と，試写用映像ファイル３３７のフレームレートを指定するフレームレート選択部１１０６とが表示される。
【０１４６】
フォーマット入力部１１０４には，予め初期設定として“Ｑｕｉｃｋｔｉｍｅムービー”が設定されているが（Ｑｕｉｃｋｔｉｍｅ：登録商標），かかる例に限定されず，他のフォーマット形式の場合であっても実施可能である。
【０１４７】
コーデック入力部１１０５には，予め初期設定として“Ｓｏｒｅｎｓｏｎ  Ｖｉｄｅｏ３”が定められているが，かかる例に限定されず，例えば，ＭＰＥＧ，ＲｅａｌＶｉｄｅｏ，またはＣｉｎｅｐａｋなどの場合であっても実施可能である。
【０１４８】
フレームレート選択部１１０６には，本実施の形態の場合，ＰＡＬ規格の“２５ｆｐｓ（ＰＡＬ）”，ＮＴＳＣ規格のドロップフレーム含む“２９．９７ｆｐｓ（ＤＦ）”，またはＮＴＳＣ規格のドロップフレーム含まない“３０ｆｐｓ（ＮＤＦ）”のうちいずれか一つのフレームレートが選択される。
【０１４９】
上記ファイル名入力部１１０１からフレームレート選択部１１０６までの各入力部に適当な情報が設定され，“実行”ボタンが選択されると，加工指示情報生成部２０９により，試写用映像ファイル３３７を保存するための保存情報が生成される（Ｓ７０５）。
【０１５０】
保存情報が生成される（Ｓ７０５）と，加工指示情報生成部７０７は，制作端末１０６の記憶装置２０８に一時記憶された上記スクリプト情報と，クレジット情報と，保存情報とから加工指示情報を生成する。
【０１５１】
加工指示情報生成部２０９が生成した加工指示情報は，制作端末１０６の送受信部２０１により，編集サーバ１２４に通信網１０２を介して送信される（Ｓ７０７）。
【０１５２】
なお，本実施の形態にかかる加工指示情報は，一時記憶されたスクリプト情報，クレジット情報，および保存情報から生成される場合を例に挙げて説明したが，かかる例に限定されない。例えば，スクリプト情報，クレジット情報，または保存情報の生成毎に，その情報を含む加工指示情報が生成され，通信網１０２を介して送信される場合であっても実施可能である。
【０１５３】
なお，メタ情報履歴３４８がアーカイブ管理装置３０８に記憶されている場合，本実施の形態にかかる制作端末１０６は，加工指示情報を生成せずに，メタ情報履歴３４８に蓄積されたメタ情報３４７を参照することにより，試写用映像ファイル３３７を編集することが可能である。
【０１５４】
上記加工指示情報が生成されない場合，メタ情報生成部４０４は，アーカイブ管理装置３０８に記憶されたメタ情報履歴３４８を検索し，該当のメタ情報３４７を取得する。したがって，試写用映像ファイル３３７の編集処理と同一内容の場合，試写用映像ファイル３３７の編集処理が効率化される。
【０１５５】
次に，制作端末１０６は，加工指示情報を編集サーバ１２４に送信する（Ｓ７０７）と，編集サーバ１２４により，試写用映像ファイル３３７の編集処理が終了するまで待機する。なお，待機中，制作端末１０６は，他の映像素材ファイル３２７を制作等することができる。
【０１５６】
次に，編集サーバ１２４の送受信部４０１から加工指示情報を受信すると，メタ情報生成部４０４は，上記加工指示情報に基づき，メタ情報３４７を生成する（Ｓ７０８）。メタ情報３４７は，例えば，タグにより定義されたＸＭＬ形式などのデータである。
【０１５７】
次に，付加情報生成部４１０は，上記メタ情報３４７に含まれるスクリプト情報およびクレジット情報に基づき，クレジット映像１２００を生成する（Ｓ７０９）。
【０１５８】
ここで，図１３を参照しながら，本実施の形態にかかるクレジット映像の生成処理について説明する。図１３は，本実施の形態にかかるクレジット映像の生成の概略的な動作を示す説明図である。
【０１５９】
スクリプト情報においてクレジット映像１２００の生成が指定されている場合，付加情報生成部４１０は，クレジット情報に含む各項目を，編集記憶装置４０９に保存されたクレジット素材４３９の各項目に設定する。クレジット素材４３９の各項目は，上記説明したクレジット情報を生成するためのクレジット映像詳細設定画面９１０の各項目と一対一に対応している。
【０１６０】
図１３に示すように，“ＣＬＩＥＮＴ”項目には，「ソニー株式会社」（登録商標）が設定され，“ＰＲＯＤＵＣＴ”項目には，「ＢＯＸ」が設定され，“ＴＩＴＬＥ”項目には，「３ヶ月無料キャンペーン」が設定され，“ＴＩＭＥ”項目には，「１５秒」が設定され，“ＡＵＤＩＯ”項目には，「ＳＴＥＲＥＯ」が設定され，“１０桁ＣＭコード”項目には，「９９９９９９９９９９」が設定され，“エンコード方式”項目には，「なし」が設定され，“ＡＧＥＮＣＹ”項目には，「ソニー株式会社」が設定され，“ＰＲＯＤＵＣＴＩＯＮ”項目には，「ソニー株式会社」が設定され，“ＤＡＴＥ”項目には，「２００３／０１／１８」が設定されている。
【０１６１】
クレジット情報の各項目に情報が設定されていない場合，例えば，図１３に示す“ＣＭ  ＤＡＴＡＢＡＳＥ  ＣＯＤＥ”項目等などには，何も設定されず，例えば，空欄となる。
【０１６２】
次に，付加情報生成部４１０は，クレジット情報が各項目に設定されたクレジット素材４３９を，メタ情報３４７に設定されたクレジット映像の映像時間分だけ，コピーする。
【０１６３】
したがって，クレジット素材４３９を１フレームとして，クレジット映像の映像時間を満たすまで，クレジット素材４３９はコピーされる。
【０１６４】
クレジット素材４３９がコピーされると，付加情報生成部４１０により，複数のクレジット素材４３９（４３９ａ，４３９ｂ，・・・，４３９ｎ）が生成され，さらにエンコードされ，クレジット映像１２００が生成される（Ｓ７０９）。
【０１６５】
なお，本実施の形態にかかるクレジット映像１２００は，動画である場合を例に挙げて説明したが，かかる例に限定されず，例えば，音声，または動画と音声との組合せの場合などであっても実施可能である。例えば，音声の場合，クレジット映像の各項目は，音声で伝えられる。
【０１６６】
次に，付加情報生成部４１０は，上記メタ情報３４７に基づき，ブラックバースト映像１３００を生成する（Ｓ７１１）。
【０１６７】
ここで，図１４（ａ）を参照しながら，本実施の形態にかかるブラックバースト映像の生成処理について説明する。図１４（ａ）は，本実施の形態にかかるブラックバースト映像の生成の概略的な動作を示す説明図である。
【０１６８】
付加情報生成部４１０は，編集記憶装置４０９に記憶されたブラックバースト素材４１９を，上記メタ情報３４７に構成されるスクリプト情報に設定されたブラックバースト映像１３００の映像時間分だけ，コピーする。
【０１６９】
したがって，ブラックバースト素材４１９を１フレームとし，スクリプト情報に指定された映像時間を満たすまで，ブラックバースト素材４１９は，コピーされる。
【０１７０】
図１４（ａ）に示すように，複数のブラックバースト素材４１９（４１９ａ，４１９ｂ，・・・，４１９ｎ）がコピーされると，付加情報生成部４１０により，エンコードされ，ブラックバースト映像１３００が生成される（Ｓ７１１）。
【０１７１】
次に，付加情報生成部４１０は，上記メタ情報３４７に基づき，カラーバー映像を生成する（Ｓ７１３）。
【０１７２】
ここで，図１４（ｂ）を参照しながら，本実施の形態にかかるカラーバー映像の生成処理について説明する。図１４（ｂ）は，本実施の形態にかかるカラーバー映像の生成の概略的な動作を示す説明図である。
【０１７３】
スクリプト情報にカラーバー映像１３１０の生成が指定されている場合，付加情報生成部４１０は，編集記憶装置４０９に記憶されたカラーバー素材４４９を，スクリプト情報に設定されたカラーバー映像１３１０の映像時間だけ，カラーバー素材４４９をコピーする。
【０１７４】
したがって，カラーバー素材４４９を１フレームとして，カラーバー映像１３１０の映像時間を満たすまで，カラーバー素材４４９は，付加情報生成部４１０によりコピーされる。
【０１７５】
図１４（ｂ）に示すように，複数のカラーバー素材４４９（４４９ａ，４４９ｂ，・・・，４４９ｎ）がコピーされると，付加情報生成部４１０により，テスト信号の音声が付加され，さらにエンコードされることにより，カラーバー映像１３１０が生成される（Ｓ７１３）。なお，本実施の形態にかかるカラーバー映像１３１０には，１ｋｈｚのテスト信号である音声が用いられるが，かかる例に限定されない。
【０１７６】
次に，付加情報生成部４１０は，上記メタ情報３４７に含まれるスクリプト情報に基づき，カウントリーダー映像１３２０を生成する（Ｓ７１５）。
【０１７７】
ここで，図１４（ｃ）を参照しながら，本実施の形態にかかるカウントリーダー映像の生成処理について説明する。図１４（ｃ）は，本実施の形態にかかるカウントリーダー映像の生成の概略的な動作を示す説明図である。
【０１７８】
スクリプト情報にはカウントリーダー映像１３２０の生成が指定されている場合，付加情報生成部４１０は，編集記憶装置４０９に記憶された各数字のカウントリーダー素材４２９を，各数字のカウントごとに上記スクリプト情報に設定された映像時間分だけ，それぞれコピーする。
【０１７９】
各数字のカラーバー素材４４９（４４９ａ，４４９ｂ，・・・，４４９ｆ，…）が，それぞれコピーされると，付加情報生成部４１０により，動画化するためエンコードされ，カウントリーダー映像１３２０が生成される（Ｓ７１５）。
【０１８０】
上記カウントリーダー映像１３２０が生成される（Ｓ７１５）と，付加情報生成部４１０による付加情報の生成処理が終了する。なお，クレジット映像１２００，ブラックバースト映像１３００，カラーバー映像１３１０，またはカウントリーダー映像１３２０が生成される順番は，かかる例に限定されず，他の順番であっても実施可能である。
【０１８１】
また，本実施の形態にかかるカウントリーダー映像１３２０は，動画である場合を例に挙げて説明したが，かかる例に限定されず，例えば，音声によるカウント，または動画と音声との組合せなどの場合であっても実施可能である。
【０１８２】
次に，映像編集部４０５は，付加情報生成部４１０により生成された付加情報と，映像素材ファイル３２７とから試写用映像ファイル３３７に編集する（Ｓ７１７）。なお，該当する映像素材ファイル３２７は，ストレージサーバ１１４の記憶装置３０７から取得される。
【０１８３】
ここで，図１４（ｄ）を参照しながら，本実施の形態にかかる試写用映像ファイル編集処理について説明する。図１４（ｄ）は，本実施の形態にかかる試写用映像ファイル編集処理の概略的な動作を示す説明図である。
【０１８４】
図１４（ｄ）に示すように，映像編集部４０５は，ストレージサーバ１１４から取得した映像素材ファイル３２７と，付加情報生成部４１０により生成されたクレジット映像１２００と，ブラックバースト映像１３００と，カラーバー映像１３１０と，カウントリーダー映像１３２０とを繋ぎ合わせることにより，試写用映像ファイル３３７を編集する（Ｓ７１７）。
【０１８５】
なお，上記編集処理（Ｓ７１７）後に，編集処理の正常または異常などの結果情報（図示せず。）をメタ情報３４７に追加する場合であっても実施可能である。試写用映像ファイル３３７の編集処理に関連する参考情報として，活用することが可能となる。
【０１８６】
なお，クレジット映像１２００，ブラックバースト映像１３００，カラーバー映像１３１０，またはカウントリーダー映像１３２０の付加情報が上記映像素材ファイル３２７に付加される順番は，スクリプト情報に指定された順番に従って，付加される。
【０１８７】
次に，上記試写用映像ファイルの編集処理（Ｓ７１７）が終了すると，映像編集部４０５は，試写用映像ファイル３３７とメタ情報３４７とを，上記保存情報に指定された保存先に保存する（Ｓ７１９）。
【０１８８】
以上から，本実施の形態にかかる映像加工システムにおける一連の試写用映像ファイル編集の動作が終了する。上記一連の試写用映像ファイル編集処理が終了すると，編集サーバ１２４は，制作端末１０６に編集処理が終了した旨のメッセージを，通信網１０２を介して送信する。
【０１８９】
なお，本実施の形態にかかる付加情報は映像素材ファイル３２７よりも前の位置（開始前）に付加される場合を例に挙げて説明したが，かかる例に限定されず，例えば，映像素材ファイル３２７の後の位置（終了後）に付加される場合等であっても実施可能である。
【０１９０】
また，本実施の形態にかかるストレージサーバ１１４に格納された試写用映像ファイル３３７は，視聴者端末１０８にダウンロード後，再生する場合を例に挙げて説明したが，かかる例に限定されず，例えば，ストリーミング等により再生する場合であっても実施可能である。
【０１９１】
付加情報は，付加情報のテンプレートとして各素材データが編集サーバ１２４に予め用意されているため，多種多様な組合せからなる付加情報を効率的に生成することができる。
【０１９２】
また，試写用映像ファイル３３７のフォーマット等の編集内容が含まれるメタ情報３４７を，図３に示すように，メタ情報履歴３４８に蓄積することができる。したがって，メタ情報履歴３４８を参照することにより，付加情報を効率的に生成することができる。
【０１９３】
次に，図１５を参照しながら，本実施の形態にかかる試写用映像ファイル３３７について説明する。図１５は，本実施の形態にかかる試写用映像ファイルの概略的な構成を示す説明図である。
【０１９４】
図１５に示すように，編集された試写用映像ファイル３３７は，再生開始から順に，カラーバー映像１３１０−１と，ブラックバースト映像１３００−１と，クレジット映像１２００−１と，カウントリーダー映像１３２０−１と，映像素材ファイル３２７−１と，さらにカラーバー映像１３１０−２と，ブラックバースト映像１３００−２と，クレジット映像１２００−２と，カウントリーダー映像１３２０−２と，映像素材ファイル３２７−２とから構成されている。
【０１９５】
図１５に示す試写用映像ファイル３３７は，まずカラーバー映像１３１０−１が再生され，次にブラックバースト映像１３００−１，続いてクレジット映像１２００−１と，カウントリーダー映像１３２０−１と，映像素材ファイル３２７−１…，の順に再生される。
【０１９６】
映像素材ファイル３２７−１の付加情報は，図１５に示すように，カラーバー映像１３１０−１と，ブラックバースト映像１３００−１と，クレジット映像１２００−１と，カウントリーダー映像１３２０−１と，映像素材ファイル３２７−１とである。
【０１９７】
映像素材ファイル３２７−２の付加情報は，図１５に示すように，カラーバー映像１３１０−２と，ブラックバースト映像１３００−２と，クレジット映像１２００−２と，カウントリーダー映像１３２０−２と，映像素材ファイル３２７−２とである。
【０１９８】
図１５に示すように，本実施の形態にかかる映像素材ファイル３２７−１または映像素材ファイル３２７−２の付加情報は，映像素材ファイル開始点以前に付加されているが，かかる例に限定されず，映像素材ファイル３２７は，例えば，映像素材ファイル終了点以後に付加される場合，または映像素材ファイル開始点以前と映像素材ファイル終了点以後の双方に付加される場合であっても実施可能である。
【０１９９】
また，本実施の形態にかかる試写用映像ファイル３３７は，２本の映像素材ファイル３２７からなる場合を例に挙げて説明したが，かかる例に限定されず，試写用映像ファイル３３７は，１本の映像素材ファイル３２７から構成される場合，複数の映像素材ファイル３２７から構成される場合であっても実施可能である。
【０２００】
ここで，試写用映像ファイル３３７とメタ情報３４７とが保存された保存後の処理について，図１６および図１７を参照しながら説明する。図１６は，本実施の形態にかかる映像加工システムの動作の概略を示すフローチャートであり，図１７は，本実施の形態にかかる映像加工システムにおける視聴者端末に表示される画面の構成を示す説明図である。
【０２０１】
上記編集処理終了後，試写用映像ファイル３３７がストレージサーバ１１４に記憶されると，視聴者端末１０８から上記試写用映像ファイル３３７にアクセスし，その内容を確認することが可能となる。
【０２０２】
図１６に示すように，視聴者端末１０８は，上記試写用映像ファイル３３７をダウンロードし，試写用映像ファイル３３７の内容を確認するために，まず，編集サーバ１２４にログインする（Ｓ１４０１）。
【０２０３】
ログインが正常に実行されると，視聴者端末１０８は，記憶スペース３１７から試写用映像ファイル３３７を選択し，通信網１０２を介して，ダウンロードする（Ｓ１４０２）。なお，上記試写用映像ファイル３３７のダウンロードとともに，該当するメタ情報３４７も一緒にダウンロードされる場合であっても実施可能である。
【０２０４】
ダウンロード（Ｓ１４０２）が終了すると，視聴者端末１０８は，試写用映像ファイル３３７を再生し，表示部６０４に試写用映像ファイル３３７を表示することができる。
【０２０５】
視聴者端末１０８は，通信網１０２に接続されているので，試写用映像ファイル３３７を，視聴者端末１０８の場所を問わず，ダウンロードすることができる。したがって，視聴者端末１０８の存在する場所に依存しないため，クライアント側のユーザは，試写用映像ファイル３３７の内容を，迅速的かつ効率的に確認することができる。
【０２０６】
次に，試写用映像ファイル３３７を確認した確認情報をメタ情報３４７に付加する場合，視聴者端末１０８は，編集サーバ１２４にアクセスし，試写用映像ファイル３３７に対応するメタ情報３４７をダウンロードする。なお，試写用映像ファイル３３７のダウンロードとともに，視聴者端末１０８にダウンロードされる場合は，再度ダウンロードする必要はない。
【０２０７】
視聴者端末１０８の表示部６０４には，図１７に示すように，設定画面１５００が表示される。設定画面１５００は，試写用映像ファイル３３７を確認した確認情報を生成するための画面である。
【０２０８】
上記設定画面１５００に設定されることにより，生成される確認情報は，例えば，「映像を追加すべきである」，「内容が不十分である」など，試写用映像ファイルを批評したコメントを例示することができる。上記コメントがプロジェクト内の制作端末１０６または視聴者端末１０８の間で，共有されることにより，制作端末１０６または視聴者端末１０８に属するユーザは，試写用映像ファイル３３７の修正点，検討点等を指摘または確認等することができる。
【０２０９】
設定画面１５００は，確認したコメント等のテキストを入力するためのテキスト入力部１５０１と，音声，動画，または静止画などのファイルを確認情報としてメタ情報３４７に付加するための確認情報選択部１５０２などとから構成される。
【０２１０】
“選択”ボタンがマウスなどの入力部６０５により選択されると，上記確認情報選択部１５０２には，確認情報として付加可能なファイルが一覧表示される。上記一覧表示から，メタ情報３４７に付加するのに適当なファイルが選択される。
【０２１１】
“実行”ボタンが入力部６０５により選択されると，視聴者端末１０８の確認情報生成装置６０７は，設定画面１５００に設定された情報に基づき，確認情報を生成する（Ｓ１４０３）。
【０２１２】
確認情報が生成されると（Ｓ１４０３），確認情報生成装置６０７は，ダウンロードされたメタ情報３４７に上記確認情報を付加する（Ｓ１４０４）。
【０２１３】
なお，本実施の形態にかかる確認情報付加処理（Ｓ１４０４）は，視聴者端末１０８側で，確認情報をメタ情報３４７に付加する場合を例にあげて説明したが，かかる例に限定されず，例えば，編集サーバ１２４側で，確認情報をメタ情報３４７に付加する場合であっても実施可能である。
【０２１４】
確認情報付加処理（Ｓ１４０４）終了後，視聴者端末１０８の送受信部６０１は，メタ情報３４７を，通信網１０２を介して，編集サーバ１２４にアップロードする。
【０２１５】
視聴者端末１０８からアップロードされたメタ情報３４７は，ストレージサーバ１１４の該当する記憶スペース３１７に格納される。したがって，メタ情報３４７は，ストレージサーバ１１４により管理される。以上から，試写用映像ファイル３３７およびメタ情報３４７の保存処理後の映像加工システムにおける一連の処理が終了する。
【０２１６】
上記確認情報がメタ情報３４７に付加されることにより，上記メタ情報３４７の確認情報に含まれる修正点またはコメント等に基づき，制作端末１０６は，場所を問わず通信網１０２を介して，試写用映像ファイル３３７を随時修正することが可能となる。
【０２１７】
また，制作端末１０６から試写用映像ファイル３３７の修正が終了した旨のメッセージ（図示せず。）等を受信すると，視聴者端末１０８は，試写用映像ファイル３３７の内容を迅速かつ効率的に確認することが可能となる。
【０２１８】
したがって，制作端末１０６により試写用映像ファイル３３７が記録媒体に記録されなくても，視聴者端末１０８は，通信網１０２を介して試写用映像ファイル３３７を確認することができる。
【０２１９】
さらに，視聴者端末１０８からの確認情報に基づき，制作端末１０６は，試写用映像ファイル３３７の修正等をすることができる。したがって，映像素材ファイルから試写用映像ファイルの完成までの一連の編集処理が効率化される
【０２２０】
なお，本実施の形態にかかる確認情報の生成は，視聴者端末１０８が行う場合を例に挙げて説明したが，かかる例に限定されず，例えば，制作端末１０６が確認情報を生成する場合であっても実施可能である。
【０２２１】
また，特別なアプリケーションを要せず，制作端末１０６または視聴者端末１０８に予めインストールされたＷＷＷブラウザなどを使用することにより，制作端末１０６または視聴者端末１０８は，通信網１０２を介して，編集サーバ１２４が提供する映像加工サービスを利用することができる。
【０２２２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０２２３】
上記実施形態においては，試写用映像ファイルが編集される場合を例にあげて説明したが，本発明はかかる例に限定されない。例えば，映像加工システムにおいて，本番用映像ファイルが編集される場合などであっても実施することができる。
【０２２４】
また上記実施形態においては，制作される映像素材ファイルはＣＭ用の場合を例にあげて説明したが，本発明はかかる例に限定されない。例えば，映画用，または放送番組用などの場合であっても実施可能である。
【０２２５】
また上記実施形態においては，制作端末から試写用映像ファイルの編集を指示する場合を例にあげて説明したが，本発明はかかる例に限定されない。例えば，視聴者端末から試写用映像ファイルの編集を指示する場合等であっても実施可能である。
【０２２６】
また上記実施形態においては，編集サーバは通信網に接続された場合を例に挙げて説明したが，本発明はかかる例に限定されない。例えば，通信網に接続されずスタンドアロンの構成が採用される場合であっても実施可能である。通信網に接続されない場合，編集サーバは，少なくとも映像素材ファイルを記憶することにより，映像素材ファイルと付加情報とに基づき，試写用映像ファイルを編集することが可能となる。
【０２２７】
【発明の効果】
以上説明したように，本発明によれば，試写用映像ファイルに編集する編集内容を編集装置に指示することにより，制作端末に対する編集処理の負荷をかけず，効率的に，試写用映像ファイルを編集することができる。
【０２２８】
また，試写用映像ファイルまたは付加情報に関するフォーマットなどの編集内容が含まれるメタ情報が，管理され，参照されることにより，試写用映像ファイルの編集処理の効率化が図れる。
【０２２９】
また，試写用映像ファイルを確認したことを示す確認情報が，メタ情報に含まれることにより，制作端末は，上記確認情報に基づき，的確に試写用映像ファイルを修正することができる。
【図面の簡単な説明】
【図１】図１は，本実施の形態にかかる映像加工システムの概略的な構成を示すブロック図である。
【図２】図２は，本実施の形態にかかる制作端末の概略的な構成を示すブロック図である。
【図３】図３は，本実施の形態にかかるストレージサーバの概略的な構成を示すブロック図である。
【図４】図４は，本実施の形態にかかるメタ情報のデータ構造の概略を示す説明図である。
【図５】図５は，本実施の形態にかかる編集サーバの概略的な構成を示すブロック図である。
【図６】図６は，本実施の形態にかかるＤＢサーバの概略的な構成を示すブロック図である。
【図７】図７は，本実施の形態にかかる視聴者端末の概略的な構成を示すブロック図である。
【図８】図８は，本実施の形態にかかる映像加工システムの動作の概略を示すフローチャートである。
【図９】図９は，本実施の形態にかかる映像加工システムにおける試写用映像ファイル編集処理の画面表示例を示す説明図である。
【図１０】図１０は，本実施の形態にかかる映像加工システムにおける試写用映像ファイル編集処理の画面表示例を示す説明図である。
【図１１】図１１は，本実施の形態にかかる映像加工システムにおける試写用映像ファイル編集処理の画面表示例を示す説明図である。
【図１２】図１２は，本実施の形態にかかる映像加工システムにおける試写用映像ファイル編集処理の画面表示例を示す説明図である。
【図１３】図１３は，本実施の形態にかかるクレジット映像の生成の概略的な動作を示す説明図である。
【図１４】図１４（ａ）は，本実施の形態にかかるブラックバースト映像の生成の概略的な動作を示す説明図である。図１４（ｂ）は，本実施の形態にかかるカラーバー映像の生成の概略的な動作を示す説明図である。図１４（ｃ）は，本実施の形態にかかるカウントリーダー映像の生成の概略的な動作を示す説明図である。図１４（ｄ）は，本実施の形態にかかる試写用映像ファイルの編集の概略的な動作を示す説明図である。
【図１５】図１５は，本実施の形態にかかる試写用映像ファイルの概略的な構成を示す説明図である。
【図１６】図１６は，本実施の形態にかかる映像加工システムの動作の概略を示すフローチャートである。
【図１７】図１７は，本実施の形態にかかる映像加工システムにおける試写用映像ファイル編集処理の画面表示例を示す説明図である。
【符号の説明】
１００  ：  映像加工システム
１０２  ：  通信網
１０４  ：  センタサーバ
１０６  ：  制作端末
１０８  ：  視聴者端末
１１４  ：  ストレージサーバ
１２４  ：  編集サーバ
１３４  ：  ＤＢサーバ
【図１】
2004349759.tif 000003
【図２】
2004349759.tif 000004
【図３】
2004349759.tif 000005
【図４】
2004349759.tif 000006
【図５】
2004349759.tif 000007
【図６】
2004349759.tif 000008
【図７】
2004349759.tif 000009
【図８】
2004349759.tif 000010
【図９】
2004349759.tif 000011
【図１０】
2004349759.tif 000012
【図１１】
2004349759.tif 000013
【図１２】
2004349759.tif 000014
【図１３】
2004349759.tif 000015
【図１４】
2004349759.tif 000016
【図１５】
2004349759.tif 000017
【図１６】
2004349759.tif 000018
【図１７】
2004349759.tif 000019